(57)【要約】【課題】非接触型ＩＣタグ付可逆的感熱記録媒体に対して消色や発色処理を行う時に、非接触型ＩＣタグの熱的ダメージを防止し、消色ムラや発色ムラの発生を防止する。【解決手段】加熱により可逆的に消色、発色する感熱層を支持体上に有する可逆的感熱記録媒体２の一方の面に非接触型ＩＣタグ３を貼付した非接触型ＩＣタグ付可逆的感熱記録媒体１に対し、加熱により感熱層を消色する消色用加熱手段１３や加熱により感光層を発色させる発色用加熱ヘッド１４を、可逆的感熱記録媒体２の非接触型ＩＣタグ３が貼付されていない領域のみを加熱する構成とした。【選択図】　　図１０
2004098539.tif 000002
【特許請求の範囲】
【請求項１】
加熱により可逆的に消色、発色する感熱層を支持体上に有する可逆的感熱記録媒体と、前記可逆的感熱記録媒体の一方の面に貼付された非接触型ＩＣタグとを有し、前記可逆的感熱記録媒体のいずれか一方の面に前記非接触型ＩＣタグを貼付する位置を指示する貼付位置マークが付されている非接触型ＩＣタグ付可逆的感熱記録媒体。
【請求項２】
前記可逆的感熱記録媒体への前記非接触型ＩＣタグの貼付位置が、前記可逆的感熱記録媒体に対する消色処理時におけるこの可逆的感熱記録媒体の搬送方向下流端となる位置である請求項１記載の非接触型ＩＣタグ付可逆的感熱記録媒体。
【請求項３】
前記支持体の厚さ寸法が、０．０５〜０．２２ｍｍである請求項１又は２記載の非接触型ＩＣタグ付可逆的感熱記録媒体。
【請求項４】
加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、加熱により前記感熱層を消色する非接触型ＩＣタグ付可逆的感熱記録媒体用の記録消去装置において、
前記可逆的感熱記録媒体の前記非接触型ＩＣタグが貼付されていない領域のみを加熱する消色用加熱手段を有する非接触型ＩＣタグ付可逆的感熱記録媒体用の記録消去装置。
【請求項５】
加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、加熱により前記感熱層を消色する非接触型ＩＣタグ付可逆的感熱記録媒体用の記録消去装置において、
前記可逆的感熱記録媒体を加熱する消色用加熱手段であって前記可逆的感熱記録媒体の前記非接触型ＩＣタグが貼付されている領域に対して非接触である消色用加熱手段を有する非接触型ＩＣタグ付可逆的感熱記録媒体用の記録消去装置。
【請求項６】
加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、加熱により前記感熱層を消色する非接触型ＩＣタグ付可逆的感熱記録媒体用の記録消去装置において、
前記可逆的感熱記録媒体を加熱する消色用加熱手段であって前記可逆的感熱記録媒体の前記非接触型ＩＣタグが貼付されている領域に対して加熱しない消色用加熱手段を有する非接触型ＩＣタグ付可逆的感熱記録媒体用の記録消去装置。
【請求項７】
前記非接触型ＩＣタグの存在を検知する検知手段と、この検知手段による検知結果に応じて前記消色用加熱手段を前記非接触型ＩＣタグに対する非接触位置へ移動させる移動機構とを有する請求項４ないし６のいずれか一記載の非接触型ＩＣタグ付可逆的感熱記録媒体用の記録消去装置。
【請求項８】
請求項４ないし７のいずれか一記載の非接触型ＩＣタグ付可逆的感熱記録媒体用の記録消去装置と、
前記可逆的感熱記録媒体を加熱して前記感熱層を発色させる発色用加熱ヘッドと、
前記非接触型ＩＣタグ付可逆的感熱記録媒体を少なくとも前記消色用加熱手段の位置から前記発色用加熱ヘッドの位置まで搬送する搬送機構と、
を有する非接触型ＩＣタグ付可逆的感熱記録媒体用のリライタブル記録装置。
【請求項９】
前記記録ヘッドは、前記可逆的感熱記録媒体の前記非接触型ＩＣタグが貼付されていない領域のみを加熱する請求項８記載の非接触型ＩＣタグ付可逆的感熱記録媒体用のリライタブル記録装置。
【請求項１０】
前記記録ヘッドは、前記可逆的感熱記録媒体の前記非接触型ＩＣタグが貼付されている領域に対して非接触である請求項８記載の非接触型ＩＣタグ付可逆的感熱記録媒体用のリライタブル記録装置。
【請求項１１】
前記記録ヘッドは、前記可逆的感熱記録媒体の前記非接触型ＩＣタグが貼付されている領域に対して加熱しない請求項８記載の非接触型ＩＣタグ付可逆的感熱記録媒体用のリライタブル記録装置。
【請求項１２】
前記非接触型ＩＣタグの存在を検知する検知手段と、この検知手段による検知結果に応じて前記記録ヘッドを前記非接触型ＩＣタグに対する非接触位置へ移動させる移動機構とを有する請求項８ないし１１のいずれか一記載の非接触型ＩＣタグ付可逆的感熱記録媒体用のリライタブル記録装置。
【請求項１３】
前記検知手段は、前記非接触型ＩＣタグ用のリーダライタである請求項１２記載の非接触型ＩＣタグ付可逆的感熱記録媒体用のリライタブル記録装置。
【請求項１４】
加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、前記感熱層の消色と発色とを同時に行うオーバーライト用加熱ヘッドを有する非接触型ＩＣタグ付可逆的感熱記録媒体用のリライタブル記録装置において、
前記オーバーライト用加熱ヘッドは、前記可逆的感熱記録媒体の前記非接触型ＩＣタグが貼付されていない領域のみを加熱する非接触型ＩＣタグ付可逆的感熱記録媒体用のリライタブル記録装置。
【請求項１５】
加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、前記感熱層の消色と発色とを同時に行うオーバーライト用加熱ヘッドを有する非接触型ＩＣタグ付可逆的感熱記録媒体用のリライタブル記録装置において、
前記オーバーライト用加熱ヘッドは、前記可逆的感熱記録媒体の前記非接触型ＩＣタグが貼付されている領域に対して非接触である非接触型ＩＣタグ付可逆的感熱記録媒体用のリライタブル記録装置。
【請求項１６】
加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、前記感熱層の消色と発色とを同時に行うオーバーライト用加熱ヘッドを有する非接触型ＩＣタグ付可逆的感熱記録媒体用のリライタブル記録装置において、
前記オーバーライト用加熱ヘッドは、前記可逆的感熱記録媒体の前記非接触型ＩＣタグが貼付されている領域に対して加熱しない非接触型ＩＣタグ付可逆的感熱記録媒体用のリライタブル記録装置。
【請求項１７】
前記非接触型ＩＣタグの存在を検知する検知手段と、この検知手段による検知結果に応じて前記オーバーライト用加熱ヘッドを前記非接触型ＩＣタグに対する非接触位置へ移動させる移動機構とを有する請求項１４ないし１６のいずれか一記載の非接触型ＩＣタグ付可逆的感熱記録媒体用のリライタブル記録装置。
【請求項１８】
前記検知手段は、前記非接触型ＩＣタグ用のリーダライタである請求項１７記載の非接触型ＩＣタグ付可逆的感熱記録媒体用のリライタブル記録装置。
【発明の詳細な説明】
【０００１】
【発明の属する技術分野】
本発明は、非接触型ＩＣタグが貼付された可逆的感熱記録媒体上の発色表示されたデータを消色する記録消去装置、記録消去方法、可逆的感熱記録媒体用リライタブル記録装置、可逆的感熱記録媒体、可逆的感熱記録媒体用リライタブルシステムに関する。
【０００２】
【従来の技術】
情報の電子化が進み、個人が情報を携帯する場合に磁気記録層やＩＣメモリーに記憶させるＩＣカードが広範囲に用いられるようになった。とくに、プラスチック製のカード基体の中に電磁波を利用するためのアンテナとメモリや演算機能を具備したＩＣチップとを備えている非接触型ＩＣカードは、セキュリティー性が高く記録容量が大きく電波によって記録の書き替えができ、接続部を持たないため、接続不良の問題もなくなり信頼性の高いシステムが構築できる。カード内部に電磁波を受けるアンテナコイルを有しており、情報だけでなくＩＣ回路の駆動に必要な電力もこの電磁波によって供給されている。
【０００３】
一方、このような非接触型ＩＣカードを例えばプリペイドカードとして用いる場合、現在の残高金額はプリペイドカードには表示されておらず、プリペイドカードを使用するときにはじめてわかることになり、支払う金額より残高の方が少ないことが起こり、使用者を困らせることになる。
【０００４】
そこで、非接触型ＩＣカードに、記録された内容を表示できる表示媒体を設けたカードが提案されている（特許文献１、特許文献２、特許文献３、特許文献４参照）。
【０００５】
非接触型ＩＣカードは繰り返し使用され、記録内容がその都度変化していくものであるので、表示媒体の表示もその回数だけ書き替えができなくてはならない。この目的に使用できる表示媒体としては、加熱によって印字消去が可能な相変化型記録材料、高分子液晶、高分子−液晶複合膜、ロイコ染料を用いたサーモクロミック材料などの可逆的感熱記録媒体、磁気によって可逆的に印字消去が可能な記録媒体が用いられている。その中でも、通常のハードコピーと比べて違和感が小さく見易いという理由で、発色と消色の二状態をとり得るロイコ染料を感熱記録層として用い、白色地肌に可逆的に発色印字画像を形成できる可逆的感熱記録媒体が提案されている（例えば、特許文献５参照）。
【０００６】
これらの公知の方法は、いずれもサーマルヘッド、磁気ヘッドなどの書込み部との接触によって表示が行われるものである。したがって、電波を用いて非接触で電子情報が書き替えられる非接触型ＩＣカードに対して、この種の可逆的記録媒体を用いた表示部を設けたとしても、表示部の方は接触させて消去又は印字させる必要がある。
【０００７】
非接触型ＩＣカードは、その基材を構成する材料としては、ポリ塩化ビニル（ＰＶＣ）、ポリ塩化酢酸ビニル（ＰＶＣＡ）、ポリエチレンテレフタレート（ＰＥＴ）、ポリカーボネイト（ＰＣ）、生分解性材料等のプラスチックが使用されている。一般的には、０．２８ｍｍ厚の硬質塩化ビニルシート２枚を積層し、この表裏に０．１ｍｍ厚の硬質塩化ビニルシートを貼合わせた構成が知られている。このような硬質プラスチックを基材とする厚手のカード以外に、テレホンカードに代表されるプリペイドカード等ではカード厚みが０．２０〜０．２８ｍｍ程度の薄手の場合もある。
【０００８】
更には、近年、低価格化を図るために、アンテナコイルとＩＣチップとの接合電極部をシート上に設け、直接ＩＣチップを実装するベアチップ実装方式も試みられている。この場合は、ＩＣチップの回路形成面にある電極部にバンプと呼ばれる突起物をハンダや金などで設け、バンプを通して電極部と接続するフェースダウン方式をとっている。接続には、異方性導電フィルムや異方性導電樹脂のような導電粒子を含んだ樹脂や、アンダーフィルのようにＩＣチップ回路面とモジュール基板の間を埋めることを目的としたものがある。この場合でも、インレットの動作信頼性のために、前述したような樹脂による封止を行う必要がある。
【０００９】
ＩＣチップを用いたカードは、ＩＣチップが機械的に破壊されるとすべてのデータが失われてしまうことから、折り曲げや、点衝撃などの点圧に対して、機械的強度をいかに上げるかが課題となっている。ＩＣチップを非接触型ＩＣタグに用いる場合、非接触型ＩＣタグに用いられる基材としては複雑な形状を有する商品に貼付する場合を考慮して可撓性を有していることが多く、その基材の材料としては、天然ゴム、合成ゴム、ポリエステル系樹脂、ボリ塩化ビニル系樹脂、ポリウレタン系樹脂、セルロース系樹脂、エポキシ樹脂、フェノール樹脂、アミド樹脂、イミド樹脂、シリコーン樹脂、フッ素系樹脂、紙等があげられる。実際に使用される形態としては、生産管理、流通管理等の場合のように非接触型ＩＣタグを製品に固定する必要がある場合が多く、この場合には接着剤あるいは粘着テープ等で非接触型ＩＣタグを製品に貼り付けて使用する。
【００１０】
そして、これらのカード（非接触型ＩＣタグ）から情報を読み取ったり（リード）、或いは、カード（非接触型ＩＣタグ）に対して情報を記録したり（ライト）、或いは、カード（非接触型ＩＣタグ）に表示する情報を書き替えたりする機能を有するカードリーダが知られている（特許文献６参照）。
【００１１】
一方、カード分野にとどまらず、可逆性記録材料を使ったリライタブルペーパーとして、リライタブル性や印刷する文書（ドキュメント）が何であるかについての識別ができるような機能（性質）を持ったものが提案されている。リライタブル性については、現在の環境問題の点から市場ニーズが高まっており、また、こういったリライタブルペーパーを用いて文書を管理する場合など、印刷する文書の識別情報をメディアに付加して、使用する際に自動的に認識させて管理に使用するというシステムはかなり有効であることが考えられている。
【００１２】
図１６ないし図１８は、このような可逆的感熱記録媒体を用いた従来例における可逆的感熱記録媒体用のリライタブル記録装置１００の一例を示している。図１６は正面図、図１７は可逆的感熱記録媒体の搬送方向下流側（排出側）から見た側面図、図１８は可逆的感熱記録媒体の搬送方向上流側（挿入側）から見た側面図である。
【００１３】
このリライタブル記録装置１００は、装置本体１０１内に、媒体検知センサ１０２、消色用加熱手段１０３、発色用加熱ヘッド１０４、ローラ１０５、１０６、ガイド部材１０７、駆動ユニット１０８、圧力調整機構１０９、１１０等を有している。
【００１４】
可逆的感熱記録媒体１１１は、駆動ユニット１０８により駆動されるローラ１０５、１０６により、図中矢印で示す方向に搬送される。そして、その搬送過程において、消色用加熱手段１０３により可逆的感熱記録媒体１の感熱層の発色（記録）が消去され、続いて発色用加熱ヘッド１０４により新たな発色（記録）が実施される。
【００１５】
なお、圧力調整機構１０９、１１０は、消色用加熱手段１０３や発色用加熱ヘッド１０４の可逆的感熱記録媒体１１１に対する押圧力を調整するものである。これらの圧力調整機構１０９、１１０は、図１７、図１８に示すように、可逆的感熱記録媒体１１１の幅方向に３つ設けられており、理想的には各場所の押圧力は均等である。ガイド部材１０７は、装置本体１０１内を搬送される可逆的感熱記録媒体１１１を案内するものである。
【００１６】
消色用加熱手段１０３は、板状のヒータ基板１１２を有しており、ローラ１０５はヒータ基板１１２と対向するよう設けられている。そして、矢印で示す方向に可逆的感熱記録媒体１１１が搬送されることにより、この可逆的感熱記録媒体１１１がヒータ基板１１２とローラ１０５との間に挟持され、これによりヒータ基板１１２から発生する熱で可逆的感熱記録媒体１１１に設けられた感熱層の発色（記録）が消去される。
【００１７】
【特許文献１】
特開平７−３２５８９９号公報
【特許文献２】
特開平７−１２５４８３号公報
【特許文献３】
特開平８−２８７２０６号公報
【特許文献４】
特開平１１−２４５５６７号公報
【特許文献５】
特開平５−１２４３６０号公報
【特許文献６】
特開２００１−２２２６９４公報
【００１８】
【発明が解決しようとする課題】
上記構成のリライタブル記録装置１００やカードリーダ（特許文献６）によれば、可逆的感熱記録媒体１１１の感熱層の発色を消色用加熱手段１０３により消色し、その可逆的感熱記録媒体１１１に続けて発色用加熱ヘッド１０４により新たな発色（記録）処理を行える。このため可逆的感熱記録媒体１１１を繰り返し使用することが可能となり、自然破壊や廃棄物処理等の社会問題の発生を回避することができる。
【００１９】
ところで、可逆的感熱記録媒体１１１を一般にオフィスや現場において使用されている用紙、複写機やファクシミリ等で使用されている用紙（以下、これらの用紙を一般用紙という）と同様に使用可能とするためには、可逆的感熱記録媒体１１１の厚さを一般用紙と同様の厚さとする必要がある。即ち、可逆的感熱記録媒体１１１が一般用紙の厚さ未満となると薄く腰がなく耐久性も低下するため使用性が悪化する。また、可逆的感熱記録媒体１１１が一般用紙の厚さを超える厚さになると、ファイリング時等において不便となる。
【００２０】
そこで、本発明者は、支持体の厚さを一般用紙の厚さと略等しい０．０５〜０．２２ｍｍとした可逆的感熱記録媒体１１１と、可撓性のある非接触型ＩＣタグとを用いて、可逆的感熱記録媒体１１１上に非接触型ＩＣタグを貼付した非接触型ＩＣタグ付可逆的感熱記録媒体を作製し、これを前記したリライタブル記録装置１００に使用して消色、発色処理を実施した。
【００２１】
尚、この消色、発色処理の実験は、図１６に示すリライタブル記録装置１００から実験上不要なものを取り外して、例えば、消色の実験を行う場合には発色用加熱ヘッド１０４等を取り外し、発色の実験を行う場合には消色用加熱手段１０３等を取り外して行った。また、可逆的感熱記録媒体１１１の支持体の厚さを一般用紙の厚さ（０．０５〜０．２２ｍｍ）としており、この範囲の厚さで実用的である材料を選んでみたところ、その消色温度は概ね１００〜１６０℃の間であった。
【００２２】
以上の実験結果より、次に述べる各事項が判明した。
▲１▼非接触型ＩＣタグがない状態で消色動作させても消色ムラが発生しない条件で、非接触型ＩＣタグを貼付した可逆的感熱記録媒体１１１に対して消色を行ったところ、非接触型ＩＣタグが貼付されていない部分では消色が良好に行われたが、非接触型ＩＣタグが貼付されている領域に消色ムラが発生した。厳密には、非接触型ＩＣタグが貼付されている領域の周囲でも消色ムラが生じた。
▲２▼非接触型ＩＣタグを貼付する場所によって消色ムラの出方が変わる。貼付する場所が、可逆的感熱記録媒体１１１の搬送方向の下流側であればあるほど、消色ムラが発生しなくなる。可逆的感熱記録媒体１１１の搬送方向の最も下流端側の位置としたときに消色ムラが最も少なくなった。
▲３▼非接触型ＩＣタグがない状態で発色動作させても発色ムラが発生しない条件で、非接触型ＩＣタグを貼付した可逆的感熱記録媒体１１１に対して発色を行ったところ、非接触型ＩＣタグが貼付されていない部分では発色が良好に行われたが、非接触型ＩＣタグが貼付されている領域に発色ムラが発生した。厳密には、非接触型ＩＣタグが貼付されている領域の周囲でも発色ムラが生じた。
▲４▼非接触型ＩＣタグが貼付されている可逆的感熱記録媒体１１１を従来の消色用加熱手段１０３や発色用加熱ヘッド１０４及びローラ１０５、１０６を使用して何回も消色、発色動作を行ったところ、非接触型ＩＣタグがはがれたりＩＣチップが損傷したりし、リードライタで非接触型ＩＣタグに通信することができなくなるものがあった。また、紙やＰＥＴベースの支持体の厚さが０．０５〜０．２２ｍｍの場合には、このような非接触型ＩＣタグがはがれたりＩＣチップが損傷したりする頻度が増加した。
【００２３】
上記▲１▼〜▲３▼に示すように、可逆的感熱記録媒体１１１の感熱層に対する消色、発色処理については、非接触型ＩＣタグが貼付されていない部分は問題なく良好に行えたが、非接触型ＩＣタグが貼付されている部分は消色、発色の不良（消色ムラ、発色ムラ）が発生する現象が生じた。つまり、消去ムラや発色ムラによりはっきりとした黒色の印字が得られない部分が発生することがわかった。これは、可逆的感熱記録媒体１１１上に非接触型ＩＣタグを貼付したため、可逆的感熱記録媒体１１１上に凹凸ができ、可逆的感熱記録媒体１１１と消色用加熱手段１０３、発色用加熱ヘッド１０４との間に若干のスペーシングが生じて、十分に又は均一に加熱できるためであると考えられる。
【００２４】
従来は、非接触型ＩＣカードはＩＣチップやアンテナコイルを、ポリ塩化ビニル（ＰＶＣ）、ポリ塩化酢酸ビニル（ＰＶＣＡ）、ポリエチレンテレフタレート（ＰＥＴ）、ポリカーボネイト（ＰＣ）等で代表されるカード用の硬い基材中に埋め込むタイプがほとんどであり、可撓性は小さく、可逆的感熱記録媒体として製作しても、消色、発色プロセス上その表面上の凹凸は問題にならなかった。
【００２５】
また、上記▲４▼に示すように、非接触型ＩＣタグへの直接的な加圧を伴った加熱によって非接触型ＩＣタグがはがれたりＩＣチップが損傷したり、また、貼付する際に使用する接着層がダメージを受けたりすることで、使用回数が限定されてしまうことになる。
【００２６】
本発明の目的は、一般オフィスや現場（生産管理、流通管理等）で、今まで使用してきた紙と同じような厚さの可逆的感熱記録媒体上に非接触型ＩＣタグを貼付してから一般文書を印刷する場合、つまり、印刷する文書の識別情報を可逆的感熱記録媒体に付加して文書管理等に利用する場合であっても、可逆的感熱記録媒体の消色や発色処理が良好に行えるようにすることを目的とする。
【００２７】
また、本発明の別の目的は、非接触型ＩＣタグ付可逆的感熱記録媒体に対して消色や発色処理を行う時に、非接触型ＩＣタグの熱的ダメージを防止することである。
【００２８】
また、本発明の別の目的は、可逆的感熱記録媒体上に非接触型ＩＣタグを貼付する場合、その貼付位置が一目でわかりやすく、簡単に貼付できるようにすることである。
【００２９】
【課題を解決するための手段】
請求項１記載の発明の非接触型ＩＣタグ付可逆的感熱記録媒体は、加熱により可逆的に消色、発色する感熱層を支持体上に有する可逆的感熱記録媒体と、前記可逆的感熱記録媒体の一方の面に貼付された非接触型ＩＣタグとを有し、前記可逆的感熱記録媒体のいずれか一方の面に前記非接触型ＩＣタグを貼付する位置を指示する貼付位置マークが付されている。
【００３０】
したがって、可逆的感熱記録媒体上に非接触型ＩＣタグを貼付する位置が一目でわかりやすく、簡単に貼付できるようになっているので、使い勝手の良い非接触型ＩＣタグ付可逆的感熱記録媒体を得ることができる。
【００３１】
請求項２記載の発明は、請求項１記載の非接触型ＩＣタグ付可逆的感熱記録媒体において、前記可逆的感熱記録媒体への前記非接触型ＩＣタグの貼付位置が、前記可逆的感熱記録媒体に対する消色処理時におけるこの可逆的感熱記録媒体の搬送方向下流端となる位置である。
【００３２】
したがって、非接触型ＩＣタグの貼付位置が可逆的感熱記録媒体の搬送方向下流端となる位置であるため、可逆的感熱記録媒体の熱的制御上効率よく加熱することができる。つまり、消色処理のために可逆的感熱記録媒体を加熱するとき、予め加熱状態となっている加熱手段で可逆的感熱記録媒体における非接触型ＩＣタグが貼付されていない領域を加熱することができ、加熱による可逆的感熱記録媒体の消色処理を良好に行える。
【００３３】
請求項３記載の発明は、請求項１又は２記載の非接触型ＩＣタグ付可逆的感熱記録媒体において、前記支持体の厚さ寸法が、０．０５〜０．２２ｍｍである。
【００３４】
したがって、この非接触型ＩＣタグ付可逆的感熱記録媒体は、従来オフィスで使用されていた一般の用紙と同じ厚さなので、従来どおりの使い勝手で使用することができる。
【００３５】
請求項４記載の発明は、加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、加熱により前記感熱層を消色する非接触型ＩＣタグ付可逆的感熱記録媒体用の記録消去装置において、前記可逆的感熱記録媒体の前記非接触型ＩＣタグが貼付されていない領域のみを加熱する消色用加熱手段を有する。
【００３６】
したがって、可逆的感熱記録媒体の非接触型ＩＣタグが貼付されていない領域のみを加熱するようになっているため、非接触型ＩＣタグを直に加熱することが避けられ、熱の影響による非接触型ＩＣタグの劣化を防止できる。
【００３７】
可逆的感熱記録媒体は、支持体上に感熱層等が積層された、異種材料層が積層された構成のものである。従って、各層の熱膨張率も異なっている。よって、このような構成の可逆的感熱記録媒体を消色用加熱手段で圧力をかけながら加熱消色するだけで、熱的制御が適切に行われないと各層はそれぞれの熱膨張率に従い急激に熱変形することと、可逆的感熱記録媒体の表裏面の温度差による延び縮みの差が生じることにより、可逆的感熱記録媒体に波打ち及び凹凸現象が発生する。ここでは、可逆的感熱記録媒体上に更に非接触型ＩＣタグを貼付するため、より最適な熱的制御条件を求めることが厳しくなる。
【００３８】
しかしながら、本発明では、直接非接触型ＩＣタグ上へ加熱を行わないようになっているため、加熱による凹凸現象、この凹凸現象が起因となる消色ムラを防止することができる。
【００３９】
ここで、本明細書において可逆的感熱記録媒とは、紙、ＰＥＴ（ポリエチレンテレフタレート）等の支持体上に、少なくとも熱により可逆的に消色、発色する感熱層を形成したものをいう。また、感熱層としては、ロイコ染料を用いることが望ましい。尚、耐久性の向上のために、表面に保護層を設けた構成のものも、本明細書に記載の可逆的感熱記録媒体に含まれる。
【００４０】
また、本明細書において消色用加熱手段とは、可逆的感熱記録媒体を所定の消色温度まで加熱することにより、発色用加熱ヘッドにより感熱層に記録された発色を消色するものであり、具体的には板状ヒータ、ヒートローラ等を用いることができる。また、上記の消色温度は、感熱層の材料等により異なるが、例えば１２０℃程度である。
【００４１】
また、本明細書において、可逆的感熱記録媒体用の記録消去装置とは、可逆的感熱記録媒体の発色による記録を消色する機能を有する記録消去装置全般をいうものである。また、可逆的感熱記録媒体用のリライタブル記録装置とは、少なくとも可逆的感熱記録媒体に発色による記録処理を行う発色用加熱ヘッドと、記録を消色するための記録消去装置とを有した記録装置全般をいうものである。
【００４２】
請求項５記載の発明は、加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、加熱により前記感熱層を消色する非接触型ＩＣタグ付可逆的感熱記録媒体用の記録消去装置において、前記可逆的感熱記録媒体を加熱する消色用加熱手段であって前記可逆的感熱記録媒体の前記非接触型ＩＣタグが貼付されている領域に対して非接触である消色用加熱手段を有する。
【００４３】
したがって、非接触型ＩＣタグに対する消色用加熱手段からの熱の影響を抑制し、熱の影響による非接触型ＩＣタグの劣化を防止できる。さらに、直接非接触型ＩＣタグ上へ加熱を行わないようになっているため、加熱による凹凸現象、この凹凸現象が起因となる消色ムラを防止することができる。
【００４４】
請求項６記載の発明は、加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、加熱により前記感熱層を消色する非接触型ＩＣタグ付可逆的感熱記録媒体用の記録消去装置において、前記可逆的感熱記録媒体を加熱する消色用加熱手段であって前記可逆的感熱記録媒体の前記非接触型ＩＣタグが貼付されている領域に対して加熱しない消色用加熱手段を有する。
【００４５】
したがって、非接触型ＩＣタグに対する消色用加熱手段からの熱の影響を抑制し、熱の影響による非接触型ＩＣタグの劣化を防止できる。さらに、直接非接触型ＩＣタグ上へ加熱を行わないようになっているため、加熱による凹凸現象、この凹凸現象が起因となる消色ムラを防止することができる。
【００４６】
請求項７記載の発明は、請求項４ないし６のいずれか一記載の非接触型ＩＣタグ付可逆的感熱記録媒体用の記録消去装置において、前記非接触型ＩＣタグの存在を検知する検知手段と、この検知手段による検知結果に応じて前記消色用加熱手段を前記非接触型ＩＣタグに対する非接触位置へ移動させる移動機構とを有する。
【００４７】
したがって、検知手段により非接触型ＩＣタグの存在を検知した場合には、移動機構により消色用加熱手段を非接触型ＩＣタグに対する非接触位置へ移動させることができ、非接触型ＩＣタグに対する消色用加熱手段による加熱を確実に防止することができる。
【００４８】
非接触型ＩＣタグの存在を検知する検知手段としては、非接触型ＩＣタグを直接検知するものでもよく、又は、請求項１で説明した貼付位置マークに少なくとも非接触型ＩＣタグの外形寸法より突出する部分を設けておき、この貼付位置マークを検出することにより非接触型ＩＣタグの存在を検知するようにしてもよい。
【００４９】
請求項８記載の発明の非接触型ＩＣタグ付可逆的感熱記録媒体用のリライタブル記録装置は、請求項４ないし７のいずれか一記載の非接触型ＩＣタグ付可逆的感熱記録媒体用の記録消去装置と、前記可逆的感熱記録媒体を加熱して前記感熱層を発色させる発色用加熱ヘッドと、前記非接触型ＩＣタグ付可逆的感熱記録媒体を少なくとも前記消色用加熱手段の位置から前記発色用加熱ヘッドの位置まで搬送する搬送機構と、を有する。
【００５０】
したがって、請求項４ないし７のいずれか一記載の記録消去装置により消色された可逆的感熱記録媒体を搬送機構で発色用加熱ヘッドの位置まで搬送し、消色処理と発色処理とを連続して行うことができる。
【００５１】
請求項９記載の発明は、請求項８記載の非接触型ＩＣタグ付可逆的感熱記録媒体用のリライタブル記録装置において、前記記録ヘッドは、前記可逆的感熱記録媒体の前記非接触型ＩＣタグが貼付されていない領域のみを加熱する。
【００５２】
したがって、発色用加熱ヘッドによる発色処理の際においても、可逆的感熱記録媒体の非接触型ＩＣタグが貼付されていない領域のみを加熱するようになっているため、非接触型ＩＣタグを直に加熱することが避けられ、発色処理時における熱の影響による非接触型ＩＣタグの劣化を防止できる。また、直接非接触型ＩＣタグ上へ加熱を行わないようになっているため、加熱による凹凸現象、この凹凸現象が起因となる発色ムラを防止することができる。
【００５３】
請求項１０記載の発明は、請求項８記載の非接触型ＩＣタグ付可逆的感熱記録媒体用のリライタブル記録装置において、前記記録ヘッドは、前記可逆的感熱記録媒体の前記非接触型ＩＣタグが貼付されている領域に対して非接触である。
【００５４】
したがって、非接触型ＩＣタグに対する消色用加熱手段からの熱の影響を抑制し、熱の影響による非接触型ＩＣタグの劣化を防止できる。また、直接非接触型ＩＣタグ上へ加熱を行わないようになっているため、加熱による凹凸現象、この凹凸現象が起因となる発色ムラを防止することができる。
【００５５】
請求項１１記載の発明は、請求項８記載の非接触型ＩＣタグ付可逆的感熱記録媒体用のリライタブル記録装置において、前記記録ヘッドは、前記可逆的感熱記録媒体の前記非接触型ＩＣタグが貼付されている領域に対して加熱しない。
【００５６】
したがって、非接触型ＩＣタグに対する消色用加熱手段からの熱の影響を抑制し、熱の影響による非接触型ＩＣタグの劣化を防止できる。また、直接非接触型ＩＣタグ上へ加熱を行わないようになっているため、加熱による凹凸現象、この凹凸現象が起因となる発色ムラを防止することができる。
【００５７】
請求項１２記載の発明は、請求項８ないし１０のいずれか一記載の非接触型ＩＣタグ付可逆的感熱記録媒体用のリライタブル記録装置において、前記非接触型ＩＣタグの存在を検知する検知手段と、この検知手段による検知結果に応じて前記記録ヘッドを前記非接触型ＩＣタグに対する非接触位置へ移動させる移動機構とを有する。
【００５８】
したがって、検知手段により非接触型ＩＣタグの存在を検知した場合には、移動機構により記録ヘッドを非接触型ＩＣタグに対する非接触位置へ移動させることができ、非接触型ＩＣタグに対する記録ヘッドによる加熱を確実に防止することができる。
【００５９】
請求項１３記載の発明は、請求項１２記載の非接触型ＩＣタグ付可逆的感熱記録媒体用のリライタブル記録装置において、前記検知手段は、前記非接触型ＩＣタグ用のリーダライタである。
【００６０】
したがって、非接触型ＩＣタグ付可逆的感熱記録媒体を使用するときに、非接触型ＩＣタグへの書込み・読取を行うリーダライタプロセスと、可逆的感熱記録媒体のリライタブルプロセスとを別々に行う必要がなく、１回のプロセスで可逆的感熱記録媒体への消色、発色処理と非接触型ＩＣタグへの情報の入出力とを行うことができる。
【００６１】
請求項１４記載の発明は、加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、前記感熱層の消色と発色とを同時に行うオーバーライト用加熱ヘッドを有する非接触型ＩＣタグ付可逆的感熱記録媒体用のリライタブル記録装置において、前記オーバーライト用加熱ヘッドは、前記可逆的感熱記録媒体の前記非接触型ＩＣタグが貼付されていない領域のみを加熱する。
【００６２】
したがって、オーバーライト用加熱ヘッドにより消色と発色とを同時に行う場合でも、可逆的感熱記録媒体における非接触型ＩＣタグが貼付されていない領域のみを加熱するようになっているため、非接触型ＩＣタグを直に加熱することが避けられ、熱の影響による非接触型ＩＣタグの劣化を防止できる。また、直接非接触型ＩＣタグ上へ加熱を行わないようになっているため、加熱による凹凸現象、この凹凸現象が起因となる消色ムラや発色ムラを防止することができる。
【００６３】
請求項１５記載の発明は、加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、前記感熱層の消色と発色とを同時に行うオーバーライト用加熱ヘッドを有する非接触型ＩＣタグ付可逆的感熱記録媒体用のリライタブル記録装置において、前記オーバーライト用加熱ヘッドは、前記可逆的感熱記録媒体の前記非接触型ＩＣタグが貼付されている領域に対して非接触である。
【００６４】
したがって、オーバーライト用加熱ヘッドにより消色と発色とを同時に行う場合でも、可逆的感熱記録媒体における非接触型ＩＣタグが貼付されている領域に対して非接触であるので、非接触型ＩＣタグを直に加熱することが避けられ、熱の影響による非接触型ＩＣタグの劣化を防止できる。また、直接非接触型ＩＣタグ上へ加熱を行わないようになっているため、加熱による凹凸現象、この凹凸現象が起因となる消色ムラや発色ムラを防止することができる。
【００６５】
請求項１６記載の発明は、加熱により可逆的に消色、発色する感熱層を支持体上に有する可逆的感熱記録媒体の一方の面に非接触型ＩＣタグを貼付した非接触型ＩＣタグ付可逆的感熱記録媒体に対し、前記感熱層の消色と発色とを同時に行うオーバーライト用加熱ヘッドを有する非接触型ＩＣタグ付可逆的感熱記録媒体用のリライタブル記録装置において、前記オーバーライト用加熱ヘッドは、前記可逆的感熱記録媒体の前記非接触型ＩＣタグが貼付されている領域に対して加熱しない。
【００６６】
したがって、オーバーライト用加熱ヘッドにより消色と発色とを同時に行う場合でも、可逆的感熱記録媒体における非接触型ＩＣタグが貼付されている領域に対して加熱しないので、非接触型ＩＣタグを直に加熱することが避けられ、熱の影響による非接触型ＩＣタグの劣化を防止できる。また、直接非接触型ＩＣタグ上へ加熱を行わないようになっているため、加熱による凹凸現象、この凹凸現象が起因となる消色ムラや発色ムラを防止することができる。
【００６７】
請求項１７記載の発明は、請求項１２ないし１６のいずれか一記載の非接触型ＩＣタグ付可逆的感熱記録媒体用のリライタブル記録装置において、前記非接触型ＩＣタグの存在を検知する検知手段と、この検知手段による検知結果に応じて前記オーバーライト用加熱ヘッドを前記非接触型ＩＣタグに対する非接触位置へ移動させる移動機構とを有する。
【００６８】
したがって、検知手段により非接触型ＩＣタグの存在を検知した場合には、移動機構によりオーバーライト用加熱ヘッドを非接触型ＩＣタグに対する非接触位置へ移動させることができ、非接触型ＩＣタグに対するオーバーライト用加熱ヘッドによる加熱を確実に防止することができる。
【００６９】
請求項１８記載の発明は、請求項１７記載の非接触型ＩＣタグ付可逆的感熱記録媒体用のリライタブル記録装置において、前記検知手段は、前記非接触型ＩＣタグ用のリーダライタである。
【００７０】
したがって、非接触型ＩＣタグ付可逆的感熱記録媒体を使用するときに、非接触型ＩＣタグへの書込み・読取を行うリーダライタプロセスと、可逆的感熱記録媒体のリライタブルプロセスとを別々に行う必要がなく、１回のプロセスで可逆的感熱記録媒体への消色、発色処理と非接触型ＩＣタグへの情報の入出力とを行うことができる。
【００７１】
【発明の実施の形態】
本発明の第１の実施の形態を図１ないし図３に基づいて説明する。本実施の形態は、可逆的感熱記録媒体に非接触型ＩＣタグを貼付した非接触型ＩＣタグ付可逆的感熱記録媒体を示したものである。
【００７２】
非接触型ＩＣタグ付可逆的感熱記録媒体１は、図１に示すように、可逆的感熱記録媒体２の一方の面に、非接触型ＩＣタグ３を貼付することにより形成されている。
【００７３】
可逆的感熱記録媒体２への非接触型ＩＣタグ３の貼付面は、非接触型ＩＣタグ付可逆的感熱記録媒体１を搬送して可逆的感熱記録媒体２に対する消色、発色処理を行うときに、消色、発色処理が行われる面の裏面である。但し、消色、発色処理を行う面と同じ面としてもよい。
【００７４】
また、可逆的感熱記録媒体２への非接触型ＩＣタグ３の貼付位置は、非接触型ＩＣタグ付可逆的感熱記録媒体１を搬送して可逆的感熱記録媒体２に対する消色、発色処理を行うときに、その搬送方向下流端となる位置に貼付されている。可逆的感熱記録媒体２における非接触型ＩＣタグ３が貼付される面と、消色、発色が行われる面とは、同じ面であってもよく又は異なる面であってもよい。可逆的感熱記録媒体２における非接触型ＩＣタグ３が貼付される面には、非接触型ＩＣタグ３の貼付位置を指示するための貼付位置マーク４が付されている。
【００７５】
貼付位置マーク４の形状としては、非接触型ＩＣタグ３の貼付位置を指示できるものであればどのような形状でもよく、例えば、図３（ａ）に示すように、貼付位置のコーナー部を指示する４つのＬ字形マークからなる貼付位置マーク４としてもよく、又は、図３（ｂ）に示すように貼付位置のコーナー部を指示する４つの丸印からなる貼付位置マーク４としてもよく、又は、図３（ｃ）に示すように貼付位置の一辺のみを指示する直線状のマークからなる貼付位置マーク４としてもよい。さらには、図３（ｄ）に示すように、非接触型ＩＣタグ３の外形形状より大きなマークとしてもよい。この場合には、この貼付位置マーク４を、非接触型ＩＣタグ３を後述する検知手段で検知するときの検知対象とすることができる。
【００７６】
図２は、可逆的感熱記録媒体２の内部構造を示す断面図である。可逆的感熱記録媒体２は、支持体５、支持体５の上側面に順次積層された感熱層６、第１の透明保護層７、第２の透明保護層８、支持体５の下側面に積層されたバックコート層９等により形成されている。ここで、上側面とは、消色、発色が行われる側の面をいい、下側面とはその反対側の面をいう。感熱層６は、加熱することにより可逆的に発色と消色との処理を行える層である。
【００７７】
支持体５は、紙、合成紙、或いはＰＥＴ（ポリエチレンテレフタレート）等の樹脂により構成されている。この支持体５の厚さは、０．０５〜０．２２ｍｍに設定されている。これは、前記したように、一般にオフィスや工場、店舗等の現場において使用されている用紙、及び、複写機やファクシミリ等で使用されている用紙（一般用紙）は、使用性の面よりその厚さが０．０５〜０．２２ｍｍのものが好ましく用いられており、本発明の非接触型ＩＣタグ付可逆的感熱記録媒体１を一般用紙と同じように取り扱えるようにするためである。
【００７８】
本実施の形態では、支持体５の厚さを上記の如く一般用紙の厚さと同一或いは略同一としたことにより、非接触型ＩＣタグ付可逆的感熱記録媒体１を複写機やファクシミリ等で用いられている記録媒体と同様に取り扱うことができ、良好な使用性を望むことができる。
【００７９】
尚、感熱層６の厚さは８〜９μｍであり、第１の透明保護層７、第２の透明保護層８、及びバックコート層９の厚さはそれぞれ２μｍ程度である。よって、可逆的感熱記録媒体２の機械的な特性（腰の強さ、折り曲げ易さ等）は、主に支持体５により決まる。従って、支持体５の厚さを上記の如く設定することにより、一般用紙と同等の特性を実現できる。また、以下の各実施例の説明で実際に用いる可逆的感熱記録媒体２は、支持体５の材質として低価格が実現可能な実用性の高い紙またはＰＥＴを用い、かつその厚さを１１５μｍとした。
【００８０】
感熱層６は、樹脂バインダー中にロイコ染料および顕色剤を分散させることによって形成されている。この感熱層６に用いるロイコ染料は、たとえばフタリド系化合物、アザフタリド系化合物、フルオラン系化合物、フェノチアジン系化合物、ロイコオーラミン系化合物など公知の染料前駆体である。また、感熱層６に用いる顕色剤は、分子内にロイコ染料を発色させる顕色能をもつ構造、たとえばフェノール性水酸基、カルボン酸基、ホスホン酸基などと、分子間の凝集力を制御する構造、たとえば長鎖炭化水素基が連結した構造をもつ化合物である。連結部分にはヘテロ原子を含む２価の基を介していてもよく、また長鎖炭化水素基中にもヘテロ原子を含む２価の基または芳香族基が含まれていてもよい。具体的には、特開平０５−１２４３６０号などに記載されている公知の顕色剤が使用できる。
【００８１】
第１及び第２の透明保護層７、８、並びにバックコート層９は、いずれも熱硬化型のポリマーにより構成されている。これらの第１・第２透明保護層７、８及びバックコート層９は、繰り返し消色、発色処理が実施される可逆的感熱記録媒体２の強度を高めるために配設されている。特に、支持体５の表面側は後述する消色用加熱手段や発色用加熱ヘッドと摺接して加熱処理が実施されるため、２層の透明保護層７、８が配設されている。
【００８２】
このような構成において、可逆的感熱記録媒体２上に非接触型ＩＣタグ３を貼付する位置を指示する貼付位置マーク４が付されているので、可逆的感熱記録媒体２上に非接触型ＩＣタグ３を貼付する場合に、その貼付位置が一目でわかりやすく、簡単に貼付できるようになっている。このため、可逆的感熱記録媒体２上への非接触型ＩＣタグ３の貼付作業が容易になり、各非接触型ＩＣタグ付可逆的感熱記録媒体１において非接触型ＩＣタグ３の貼付位置が一定となるので、使い勝手の良い非接触型ＩＣタグ付可逆的感熱記録媒体１を得ることができる。
【００８３】
また、可逆的感熱記録媒体１への非接触型ＩＣタグ３の貼付位置が、非接触型ＩＣタグ付可逆的感熱記録媒体１に対する消色、発色処理を行なうときの搬送方向下流端となる位置であるため、可逆的感熱記録媒体２の熱的制御上効率よく加熱することができる。つまり、消色処理のために可逆的感熱記録媒体２を加熱するとき、予め加熱状態となっている加熱手段で可逆的感熱記録媒体２における非接触型ＩＣタグ３が貼付されていない領域を加熱することができ、加熱による可逆的感熱記録媒体２の消色処理を良好に行える。
【００８４】
つぎに、本発明の第２の実施の形態を図４及び図５に基づいて説明する。図４は、第１の実施の形態で説明した非接触型ＩＣタグ付可逆的感熱記録媒体１の可逆的感熱記録媒体２に対して消色、発色処理を行なえる非接触型ＩＣタグ付可逆的感熱記録媒体用のリライタブル記録装置１０を示すものである。このリライタブル記録装置１０は、図１６ないし図１８に示した従来例のリライタブル記録装置１００と基本的構造は同じであり、装置本体１１内に、媒体検知センサ１２、消色用加熱手段１３、発色用加熱ヘッド１４、ローラ１５、１６、ガイド部材１７、駆動ユニット１８、圧力調整機構１９、２０、挿入トレイ２１、排出トレイ２２等を有している。ローラ１５、１６及びガイド部材１７等により、挿入トレイ２１上の非接触型ＩＣタグ付可逆的感熱記録媒体１を消色用加熱手段１３、発色用加熱ヘッド１４の位置を通過させて排出トレイ２２へ搬送する搬送機構２３が構成されている。
【００８５】
消色用加熱手段１３は、セラミックヒーター基板２４を有している。このセラミックヒーター基板２４は、９６％アルミナ基板上に抵抗体（Ａｇ／Ｐｄ合金）を厚膜印刷して製作したもので、両端端子（Ａｇ／Ｐｔ導体）を介して電圧を印加することで発熱させることができ、ここでは抵抗値１００オーム、電圧値１００Ｖを使用した。発熱しているセラミックヒーター基板２４が矢印方向へ搬送される非接触型ＩＣタグ付可逆的感熱記録媒体１の可逆的感熱記録媒体２に摺接することにより、可逆的感熱記録媒体２に対する消色処理が行なわれる。なお、消色用加熱手段１３としては、中心部にハロゲンランプ等の加熱ヒータを設けたヒートローラ方式のものでもよい。
【００８６】
発色用加熱ヘッド１４は、選択的に発熱される発熱部２５を有する通常のサーマルプリントヘッドを用いている。
【００８７】
消色用加熱手段１３に対向配置されたローラ１５は、ステンレス製の芯金に硬度２５〜５０のシリコンゴムをつけたものを用いている。
【００８８】
発色用加熱ヘッド１４に対向配置されたローラ１６は、硬度５０程度のシリコンゴム製のものを用いている。
【００８９】
圧力調整機構１９、２０は、消色用加熱手段１３や発色用加熱ヘッド１４の非接触型ＩＣタグ付可逆的感熱記録媒体１に対する押圧力を調整するものである。
【００９０】
ここで、消色用加熱手段１３のセラミックヒーター基板２４が設けられている範囲は、非接触型ＩＣタグ付可逆的感熱記録媒体１の搬送方向と直交する横幅方向の全域ではなく、図５に示すように、可逆的感熱記録媒体２の非接触型ＩＣタグ３が貼付されていない領域と対向する範囲のみとされている。また、発色用加熱ヘッド１４の発熱部２５が設けられている範囲も同様に、可逆的感熱記録媒体２の非接触型ＩＣタグ３が貼付されていない領域と対向する範囲のみとされている。
【００９１】
このような構成において、非接触型ＩＣタグ付可逆的感熱記録媒体１に対する消色、発色処理時には、挿入トレイ２１上の非接触型ＩＣタグ付可逆的感熱記録媒体１が搬送機構２３によって矢印方向に搬送される。そして、この搬送過程において、消色用加熱手段１３により可逆的感熱記録媒体２の消色処理が行なわれ、さらに、発色用加熱ヘッド１４によって可逆的感熱記録媒体２の発色処理が行なわれる。
【００９２】
消色用加熱手段１３のセラミックヒーター基板２４および発色用加熱ヘッド１４の発熱部２５は、可逆的感熱記録媒体２における非接触型ＩＣタグ３が貼付されていない領域のみを加熱する構成なので、消色用加熱手段１３や発色用加熱ヘッド１４によって非接触型ＩＣタグ３が直に加熱されることが防止される。このため、熱の影響による非接触型ＩＣタグ３の劣化を防止できる。
【００９３】
また、直接非接触型ＩＣタグ３上へ加熱を行わないようになっているため、非接触型ＩＣタグ３を加熱することによる可逆的感熱記録媒体２の凹凸現象、この凹凸現象が起因となる消色ムラや発色ムラを防止することができる。
【００９４】
なお、図６及び図７は本実施の形態の変形例を示すものである。図６は、消色用加熱手段１３における可逆的感熱記録媒体２に貼付された非接触型ＩＣタグ３に対向する領域に、溝状の凹部２６を形成したものである。これにより、非接触型ＩＣタグ３に対して作用する加圧力が小さくなり、非接触型ＩＣタグ３の耐久性がアップする。発色用加熱ヘッド１４に同様の凹部を形成することも有効である。
【００９５】
図７は、図６の変形例に加えて、ローラ１５の外周面における非接触型ＩＣタグ３に対向する領域にリング状の凹部２７を形成したものである。これにより、非接触型ＩＣタグ３に対して作用する加圧力がより小さくなり、非接触型ＩＣタグ３の耐久性がよりアップする。発色用加熱ヘッド１４に同様の凹部を形成することも有効である。
【００９６】
なお、本実施の形態では、消色処理と発色処理とを連続して行うリライタブル記録装置１０を例に挙げて説明しており、消色処理を行う非接触型ＩＣタグ付可逆的感熱記録媒体用の記録消去装置については説明していないが、この記録消去装置は、リライタブル記録装置の構成の一部として含まれているものと考えてよい。例えば、リライタブル記録装置１０から、発色処理を行う機構部分を取り外した状態が記録消去装置に相当する。
【００９７】
つぎに、本発明の第３の実施の形態を図８に基づいて説明する。なお、図４及び図５において説明した部分と同じ部分は同じ符号で示し、説明も省略する（以下の実施の形態でも同じ）。
【００９８】
本実施の形態のリライタブル記録装置３０の基本的な構造は図４及び図５に示した第２の実施の形態と同じである。本実施の形態のリライタブル記録装置３０と第２の実施の形態のリライタブル記録装置１０との異なる点は、第２の実施の形態では、消色用加熱手段１３においてセラミックヒーター基板２４のみ、及び、発色用加熱ヘッド１４において発熱部２５のみを横幅寸法を小さくしているが、本実施の形態では、消色用加熱手段１３及び発色用加熱ヘッド１４を全体として横幅寸法を小さくしている。これにより、消色用加熱手段１３及び発色用加熱ヘッド１４は、可逆的感熱記録媒体２の非接触型ＩＣタグ３が貼付されている領域に対する加熱、加圧が防止される。
【００９９】
このような構成において、可逆的感熱記録媒体２に対する消色処理時及び発色処理時において、消色用加熱手段１３及び発色用加熱ヘッド１４が可逆的感熱記録媒体２における非接触型ＩＣタグ３が貼付されている領域に摺接せず、非接触型ＩＣタグ３に対する加圧、加熱が行なわれない。このため、非接触型ＩＣタグ３の加圧、加熱により劣化が防止され、耐久性がアップする。
【０１００】
また、直接非接触型ＩＣタグ３上へ加熱を行わないようになっているため、非接触型ＩＣタグ３を加熱することによる可逆的感熱記録媒体２の凹凸現象、この凹凸現象が起因となる消色ムラや発色ムラを防止することができる。
【０１０１】
つぎに、本発明の第４の実施の形態を図９ないし図１１に基づいて説明する。本実施の形態のリライタブル記録装置４０は、基本的構造は図４に示した第２の実施の形態のリライタブル記録装置１０と同じであり、このリライタブル記録装置１０と異なる点は、挿入トレイ２１側に非接触型ＩＣタグ３の存在を検知する検知手段であるＩＣタグ検知センサ４１が設けられている点と、消色用加熱手段１３と発色用加熱ヘッド１４とを可逆的感熱記録媒体２に貼付された非接触型ＩＣタグ３に対して非接触型位置へ移動させる移動機構（図示せず）が設けられている点と、消色用加熱手段１３のセラミックヒーター基板２４と発色用加熱ヘッド１４の発熱部２５が非接触型ＩＣタグ付可逆的感熱記録媒体１の横幅方向の全体の領域に対向して設けられている点である。
【０１０２】
ＩＣタグ検知センサ４１は、通常の非接触型のセンサで、ＬＥＤやＰＤで構成される光学的なものでよい。非接触型ＩＣタグ３そのものの特徴、例えば、非接触型ＩＣタグ３上に印刷されている印や線等を検出してもよい。図３（ｄ）に示したように、非接触型ＩＣタグ３の外形形状より大きな貼付位置マーク４を付した場合には、この貼付位置マーク４を検出するようにしてもよい。また、貼付位置マーク４としてバーコードを使用し、そのバーコードの一部を貼付した非接触型ＩＣタグ３から露出させれば、ＩＣタグ検知センサ４１として低コストなバーコードセンサーを使用することができ、より実用的となる。一方、検出の確度をあげるために、検知手段としてＣＣＤ等の小型カメラを用い、撮像した画像によってその有無を判断させることもできる。
【０１０３】
このような構成において、このリライタブル記録装置４０の消色、発色処理に関する一連の動作を図１１のフローチャートに基づいて説明する。まず、装置の電源がＯＮされると各センサがＯＮ状態になる（ステップＳ１）。その後、非接触型ＩＣタグ付可逆的感熱記録媒体１の搬送が開始され（ステップＳ２）、ＩＣタグ検知センサ４１により非接触型ＩＣタグ３が検知されたか否かが判断される（ステップＳ３）。ＩＣタグ検知センサ４１が非接触型ＩＣタグ３を検知すると（ステップＳ３のＹ）、制御部のタイマーが作動し（ステップＳ４）、作動開始から所定時間“ｔ１”経過したか否かが判断される（ステップＳ５）。
【０１０４】
所定時間“ｔ１”が経過した場合には（ステップＳ５のＹ）、図１０（ｂ）に示すように、消色用加熱手段１３が移動機構により上昇される（ステップＳ６）。ここで、所定時間“ｔ１”が経過したときは、図１０（ｂ）に示すように、非接触型ＩＣタグ３が消色用加熱手段１３と対向する位置まで搬送されており、消色用加熱手段１３が上昇することにより、消色用加熱手段１３が非接触型ＩＣタグ３に対して非接触となり、消色用加熱手段１３による非接触型ＩＣタグ３の加熱、加圧が防止される。
【０１０５】
引き続き、タイマーの作動開始から所定時間“ｔ２”が経過したか否かが判断され（ステップＳ７）、所定時間“ｔ２”が経過した場合には（ステップＳ７のＹ）、図１０（ｃ）に示すように、発色用加熱ヘッド１４が移動機構により上昇される（ステップＳ８）。ここで、所定時間“ｔ２”が経過したときは、図１０（ｃ）に示すように、非接触型ＩＣタグ３が発色用加熱ヘッド１４と対向する位置まで搬送されており、発色用加熱ヘッド１４が上昇することにより、発色用加熱ヘッド１４が非接触型ＩＣタグ３に対して非接触となり、発色用加熱ヘッド１４による非接触型ＩＣタグ３の加熱、加圧が防止される。
【０１０６】
このため、可逆的感熱記録媒体２に対する消色処、発色処理時において、消色用加熱手段１３及び発色用加熱ヘッド１４が可逆的感熱記録媒体２における非接触型ＩＣタグ３が貼付されている領域に摺接せず、非接触型ＩＣタグ３に対する加圧、加熱が行なわれない。このため、非接触型ＩＣタグ３の加圧、加熱により劣化が防止され、耐久性がアップする。
【０１０７】
さらに、直接非接触型ＩＣタグ３上へ加熱を行わないようになっているため、非接触型ＩＣタグ３を加熱することによる可逆的感熱記録媒体２の凹凸現象、この凹凸現象が起因となる消色ムラや発色ムラを防止することができる。
【０１０８】
ここで、可逆的感熱記録媒体２への非接触型ＩＣタグ３の貼付位置は、非接触型ＩＣタグ付可逆的感熱記録媒体１の搬送方向下流端となる位置であることが好ましい。なぜならば、ここで使用する可逆的感熱記録媒体２は前述したように、その消色を安定的に行うためにローラ１５、１６の表面を加熱してある温度以上にしておく必要があり、動作が開始してから消色用加熱手段１３や発色用加熱ヘッド１４で加熱してローラ１５、１６を温めて、ある温度以上になったら搬送を開始することになる。このとき、最初に非接触型ＩＣタグ３が貼付された部分が搬送されると、可逆的感熱記録媒体２の非接触型ＩＣタグ３が貼付された領域がローラ１５、１６と接触することでせっかく加熱した熱が奪われてしまうからである。
【０１０９】
そして、可逆的感熱記録媒体２における非接触型ＩＣタグ３の貼付領域が通過した後に消色用加熱手段１３、発色用加熱ヘッド１４が下降して可逆的感熱記録媒体２を接触加熱して消色と発色とを行うことになるが、非接触型ＩＣタグ３の貼付領域との接触で奪われた熱を戻すような加熱制御を行う必要があり、安定性が問題となる。特に、非接触型ＩＣタグ３は１種類とは限らず、非接触型ＩＣタグ３による熱的な不安定さにより消色性、発色性が悪くなることがある。よって、実際に消色、発色する部分を最初に消色用加熱手段１３や発色用加熱ヘッド１４に接触させたほうがよく、可逆的感熱記録媒体２への非接触型ＩＣタグ３の貼付位置は、非接触型ＩＣタグ付可逆的感熱記録媒体１の搬送方向下流端となる位置であること好ましい。
【０１１０】
つぎに、本発明の第５の実施の形態を図１２及び図１３に基づいて説明する。本実施の形態のリライタブル記録装置５０の基本的構造は図９に示したリライタブル記録装置４０と同じであり、異なる点は、非接触型ＩＣタグ３の存在を検知する検知手段として、ＩＣタグ検知センサ４１に代えて非接触型ＩＣタグ３用のリーダライタ５１が設けられている点である。リーダライタ５１は、非接触型ＩＣタグ３に対するデータの入出力を行う。非接触型ＩＣタグ３の検知結果に応じて消色用加熱手段１３と発色用加熱ヘッド１４とを上昇させる移動機構が第４の実施の形態と同じように設けられている。
【０１１１】
リーダライタ５１についてはここでは詳しく述べないが、市場ではかなり小型化のものができており、このようなプロセス内に組み込むことは可能である。また、このリーダライタ５１を非接触型ＩＣタグ３の検出にも使えるので、装置全体の小型化を進めることが可能となる。
【０１１２】
このような構成において、このリライタブル記録装置４０の消色、発色処理に関する一連の動作を図１３のフローチャートに基づいて説明する。このフローチャートは図１１のフローチャートと基本的な動作は同じであり、異なる点は、リーダライタ５１が非接触型ＩＣタグ３を検知した後（ステップＳ３のＹ）、非接触型ＩＣタグ３に対するデータの読取・書込みを行う点である（ステップＳ１１）。
【０１１３】
つぎに、本発明の第６の実施の形態を図１４に基づいて説明する。本実施の形態のリライタブル記録装置６０は、非接触型ＩＣタグ付可逆的感熱記録媒体１のＵ字形の搬送経路に沿って搬送させるようにしたもので、上述した各実施の形態と同じように、消色、発色処理するための消色用加熱手段１３、発色用加熱ヘッド１４、ローラ１５、１６、媒体検知センサ１２、リーダライタ５１、消色用加熱手段１３、発色用加熱ヘッド１４を非接触型ＩＣタグ３から離反する位置へ移動させる移動機構（図示せず）等を備えている。
【０１１４】
消色用加熱手段１３によって消色処理された非接触型ＩＣタグ付可逆的感熱記録媒体１は、湾曲ガイド６１に案内されて発色用加熱ヘッド１４の位置へ向けて搬送される。非接触型ＩＣタグ付可逆的感熱記録媒体１は、湾曲ガイド６１を通過する際に湾曲ガイド６１に押し付けられて冷却処理される。この湾曲ガイド６１は、例えばアルミ加工で簡単に作製することができる。また、湾曲ガイド６１の半径を４０ｍｍ以上に設定すると、前述したようなオフィスで使用される各種媒体（ここでは支持体が紙やＰＥＴのもの）において、波打が発生せず消去記録ができるので、使用する媒体を選ぶ必要がなくなる。
【０１１５】
つぎに、本発明の第７の実施の形態を図１５に基づいて説明する。上述した各実施の形態では、消色処理を行う消色用加熱手段１３と発色処理を行う発色用加熱ヘッド１４とを別個に設けていたが、本実施の形態のリライタブル記録装置７０は、消色処理と発色処理とを同時に行うオーバーライト用加熱ヘッド７１を有している。ローラ１５、媒体検知センサ１２、リーダライタ５１、オーバーライト用加熱ヘッド７１を非接触型ＩＣタグ３から離反する位置へ移動させる移動機構（図示せず）等は、上述した各実施の形態と同じように設けられている。
【０１１６】
このような構成において、本実施の形態では、可逆的感熱記録媒体２に対する消色処理と発色処理とを同時に行うことができる。また、オーバーライト用加熱ヘッド７１により消色と発色とを同時に行う場合でも、可逆的感熱記録媒体２における非接触型ＩＣタグ３が貼付される領域においては移動機構によってオーバーライト用加熱ヘッド７１を移動させることにより非接触型ＩＣタグ３を直に加熱、加圧することが避けられ、熱や圧力の影響による非接触型ＩＣタグ３の劣化を防止できる。また、直接非接触型ＩＣタグ３上へ加熱を行わないようになっているため、非接触型ＩＣタグ３を加熱することによる可逆的感熱記録媒体２の凹凸現象、この凹凸現象が起因となる消色ムラや発色ムラを防止することができる。
【０１１７】
【発明の効果】
請求項１記載の発明の非接触型ＩＣタグ付可逆的感熱記録媒体によれば、可逆的感熱記録媒体上に非接触型ＩＣタグを貼付する位置が一目でわかりやすく、簡単に貼付できるようになっているので、使い勝手の良い非接触型ＩＣタグ付可逆的感熱記録媒体を得ることができる。
【０１１８】
請求項２記載の発明によれば、請求項１記載の非接触型ＩＣタグ付可逆的感熱記録媒体において、前記可逆的感熱記録媒体への前記非接触型ＩＣタグの貼付位置が、前記可逆的感熱記録媒体に対する消色処理時におけるこの可逆的感熱記録媒体の搬送方向下流端となる位置であるので、可逆的感熱記録媒体の熱的制御上効率よく加熱することができ、加熱による可逆的感熱記録媒体の消色処理を良好に行える。
【０１１９】
請求項３記載の発明によれば、請求項１又は２記載の非接触型ＩＣタグ付可逆的感熱記録媒体において、前記支持体の厚さ寸法が、０．０５〜０．２２ｍｍであるので、この非接触型ＩＣタグ付可逆的感熱記録媒体は、従来オフィスで使用されていた一般の用紙と同じ厚さであり、従来どおりの使い勝手で使用することができる。
【０１２０】
請求項４記載の発明の非接触型ＩＣタグ付可逆的感熱記録媒体用の記録消去装置によれば、可逆的感熱記録媒体の前記非接触型ＩＣタグが貼付されていない領域のみを加熱する消色用加熱手段を有するので、非接触型ＩＣタグを直に加熱することが避けられ、熱の影響による非接触型ＩＣタグの劣化を防止できる。さらに、直接非接触型ＩＣタグ上へ加熱を行わないようになっているため、非接触型ＩＣタグを加熱することによる可逆的感熱記録媒体の凹凸現象、この凹凸現象が起因となる消色ムラを防止することができる。
【０１２１】
請求項５記載の発明の非接触型ＩＣタグ付可逆的感熱記録媒体用の記録消去装置によれば、可逆的感熱記録媒体を加熱する消色用加熱手段であって前記可逆的感熱記録媒体の前記非接触型ＩＣタグが貼付されている領域に対して非接触である消色用加熱手段を有するので、非接触型ＩＣタグに対する消色用加熱手段からの熱の影響を抑制し、熱の影響による非接触型ＩＣタグの劣化を防止できる。さらに、直接非接触型ＩＣタグ上へ加熱を行わないようになっているため、非接触型ＩＣタグを加熱することによる可逆的感熱記録媒体の凹凸現象、この凹凸現象が起因となる消色ムラを防止することができる。
【０１２２】
請求項６記載の発明の非接触型ＩＣタグ付可逆的感熱記録媒体用の記録消去装置によれば、可逆的感熱記録媒体を加熱する消色用加熱手段であって前記可逆的感熱記録媒体の前記非接触型ＩＣタグが貼付されている領域に対して加熱しない消色用加熱手段を有するので、非接触型ＩＣタグに対する消色用加熱手段からの熱の影響を抑制し、熱の影響による非接触型ＩＣタグの劣化を防止できる。さらに、直接非接触型ＩＣタグ上へ加熱を行わないようになっているため、非接触型ＩＣタグを加熱することによる可逆的感熱記録媒体の凹凸現象、この凹凸現象が起因となる消色ムラを防止することができる。
【０１２３】
請求項７記載の発明は、請求項４ないし６のいずれか一記載の非接触型ＩＣタグ付可逆的感熱記録媒体用の記録消去装置において、前記非接触型ＩＣタグの存在を検知する検知手段と、この検知手段による検知結果に応じて前記消色用加熱手段を前記非接触型ＩＣタグに対する非接触位置へ移動させる移動機構とを有するので、検知手段により非接触型ＩＣタグの存在を検知した場合には、移動機構により消色用加熱手段を非接触型ＩＣタグに対する非接触位置へ移動させることができ、非接触型ＩＣタグに対する消色用加熱手段による加熱を確実に防止することができる。
【０１２４】
請求項８記載の発明の非接触型ＩＣタグ付可逆的感熱記録媒体用のリライタブル記録装置によれば、請求項４ないし７のいずれか一記載の記録消去装置により消色処理された可逆的感熱記録媒体を搬送機構で発色用加熱ヘッドの位置まで搬送するので、消色処理と発色処理とを連続して行うことができ、しかも、請求項４ないし７のいずれか一記載の記録消去装置での消色処理においては非接触型ＩＣタグが熱の影響を受けないので、その分非接触型ＩＣタグの劣化を防止できる。
【０１２５】
請求項９記載の発明によれば、請求項８記載の非接触型ＩＣタグ付可逆的感熱記録媒体用のリライタブル記録装置において、前記記録ヘッドは、前記可逆的感熱記録媒体の前記非接触型ＩＣタグが貼付されていない領域のみを加熱するので、発色用加熱ヘッドによる発色処理の際においても、可逆的感熱記録媒体の非接触型ＩＣタグが貼付されていない領域のみを加熱するようになっているため、発色処理時における熱の影響による非接触型ＩＣタグの劣化を防止できる。さらに、直接非接触型ＩＣタグ上へ加熱を行わないようになっているため、非接触型ＩＣタグを加熱することによる可逆的感熱記録媒体の凹凸現象、この凹凸現象が起因となる消色ムラや発色ムラを防止することができる。
【０１２６】
請求項１０記載の発明によれば、請求項８記載の非接触型ＩＣタグ付可逆的感熱記録媒体用のリライタブル記録装置において、前記記録ヘッドは、前記可逆的感熱記録媒体の前記非接触型ＩＣタグが貼付されている領域に対して非接触であるので、したがって、非接触型ＩＣタグに対する消色用加熱手段からの熱の影響を抑制し、熱の影響による非接触型ＩＣタグの劣化を防止できる。さらに、直接非接触型ＩＣタグ上へ加熱を行わないようになっているため、非接触型ＩＣタグを加熱することによる可逆的感熱記録媒体の凹凸現象、この凹凸現象が起因となる消色ムラや発色ムラを防止することができる。
【０１２７】
請求項１１記載の発明によれば、請求項８記載の非接触型ＩＣタグ付可逆的感熱記録媒体用のリライタブル記録装置において、前記記録ヘッドは、前記可逆的感熱記録媒体の前記非接触型ＩＣタグが貼付されている領域に対して加熱しないので、非接触型ＩＣタグに対する消色用加熱手段からの熱の影響を抑制し、熱の影響による非接触型ＩＣタグの劣化を防止できる。さらに、直接非接触型ＩＣタグ上へ加熱を行わないようになっているため、非接触型ＩＣタグを加熱することによる可逆的感熱記録媒体の凹凸現象、この凹凸現象が起因となる消色ムラや発色ムラを防止することができる。
【０１２８】
請求項１２記載の発明によれば、請求項８ないし１０のいずれか一記載の非接触型ＩＣタグ付可逆的感熱記録媒体用のリライタブル記録装置において、前記非接触型ＩＣタグの存在を検知する検知手段と、この検知手段による検知結果に応じて前記記録ヘッドを前記非接触型ＩＣタグに対する非接触位置へ移動させる移動機構とを有するので、検知手段により非接触型ＩＣタグの存在を検知した場合には、移動機構により記録ヘッドを非接触型ＩＣタグに対する非接触位置へ移動させることができ、非接触型ＩＣタグに対する記録ヘッドによる加熱を確実に防止することができる。
【０１２９】
請求項１３記載の発明によれば、請求項１２記載の非接触型ＩＣタグ付可逆的感熱記録媒体用のリライタブル記録装置において、前記検知手段は、前記非接触型ＩＣタグ用のリーダライタであるので、非接触型ＩＣタグ付可逆的感熱記録媒体を使用するときに、非接触型ＩＣタグへの書込み・読取を行うリーダライタプロセスと、可逆的感熱記録媒体のリライタブルプロセスとを別々に行う必要がなく、１回のプロセスで可逆的感熱記録媒体への消色、発色処理と非接触型ＩＣタグへの情報の入出力とを行うことができる。
【０１３０】
請求項１４記載の発明の非接触型ＩＣタグ付可逆的感熱記録媒体用のリライタブル記録装置によれば、オーバーライト用加熱ヘッドにより消色と発色とを同時に行うことができ、この場合でも、可逆的感熱記録媒体における非接触型ＩＣタグが貼付されていない領域のみを加熱するようになっているため、非接触型ＩＣタグを直に加熱することが避けられ、熱の影響による非接触型ＩＣタグの劣化を防止できる。さらに、直接非接触型ＩＣタグ上へ加熱を行わないようになっているため、非接触型ＩＣタグを加熱することによる可逆的感熱記録媒体の凹凸現象、この凹凸現象が起因となる消色ムラや発色ムラを防止することができる。
【０１３１】
請求項１５記載の発明の非接触型ＩＣタグ付可逆的感熱記録媒体用のリライタブル記録装置によれば、オーバーライト用加熱ヘッドにより消色と発色とを同時に行うことができ、この場合でも、可逆的感熱記録媒体における非接触型ＩＣタグが貼付されている領域に対して非接触であるので、非接触型ＩＣタグを直に加熱することが避けられ、熱の影響による非接触型ＩＣタグの劣化を防止できる。さらに、直接非接触型ＩＣタグ上へ加熱を行わないようになっているため、非接触型ＩＣタグを加熱することによる可逆的感熱記録媒体の凹凸現象、この凹凸現象が起因となる消色ムラや発色ムラを防止することができる。
【０１３２】
請求項１６記載の発明の非接触型ＩＣタグ付可逆的感熱記録媒体用のリライタブル記録装置によれば、オーバーライト用加熱ヘッドにより消色と発色とを同時に行うことができ、この場合でも、可逆的感熱記録媒体における非接触型ＩＣタグが貼付されている領域に対して加熱しないので、非接触型ＩＣタグを直に加熱することが避けられ、熱の影響による非接触型ＩＣタグの劣化を防止できる。さらに、直接非接触型ＩＣタグ上へ加熱を行わないようになっているため、非接触型ＩＣタグを加熱することによる可逆的感熱記録媒体の凹凸現象、この凹凸現象が起因となる消色ムラや発色ムラを防止することができる。
【０１３３】
請求項１７記載の発明によれば、請求項１２ないし１６のいずれか一記載の非接触型ＩＣタグ付可逆的感熱記録媒体用のリライタブル記録装置において、前記非接触型ＩＣタグの存在を検知する検知手段と、この検知手段による検知結果に応じて前記オーバーライト用加熱ヘッドを前記非接触型ＩＣタグに対する非接触位置へ移動させる移動機構とを有するので、検知手段により非接触型ＩＣタグの存在を検知した場合には、移動機構によりオーバーライト用加熱ヘッドを非接触型ＩＣタグに対する非接触位置へ移動させることができ、非接触型ＩＣタグに対するオーバーライト用加熱ヘッドによる加熱を確実に防止することができる。
【０１３４】
請求項１８記載の発明によれば、請求項１７記載の非接触型ＩＣタグ付可逆的感熱記録媒体用のリライタブル記録装置において、前記検知手段は、前記非接触型ＩＣタグ用のリーダライタであるので、非接触型ＩＣタグ付可逆的感熱記録媒体を使用するときに、非接触型ＩＣタグへの書込み・読取を行うリーダライタプロセスと、可逆的感熱記録媒体のリライタブルプロセスとを別々に行う必要がなく、１回のプロセスで可逆的感熱記録媒体への消色、発色処理と非接触型ＩＣタグへの情報の入出力とを行うことができる。
【図面の簡単な説明】
【図１】本発明の第１の実施の形態である、非接触型ＩＣタグ付可逆的感熱記録媒体を示す斜視図である。
【図２】非接触型ＩＣタグ付可逆的感熱記録媒体を構成する可逆的感熱記録媒体の内部構造を示す断面図である。
【図３】可逆的感熱記録媒体に付された貼付位置マークの変形例を示す斜視図である。
【図４】本発明の第２の実施の形態である、非接触型ＩＣタグ付可逆的感熱記録媒体用のリライタブル記録装置を示す正面図である。
【図５】その側面図である。
【図６】第２の実施の形態の変形例を示す側面図である。
【図７】第２の実施の形態の別の変形例を示す側面図である。
【図８】本発明の第３の実施の形態である、非接触型ＩＣタグ付可逆的感熱記録媒体用のリライタブル記録装置を示す平面図（ａ）と側面図（ｂ）である。
【図９】本発明の第４の実施の形態である、非接触型ＩＣタグ付可逆的感熱記録媒体用のリライタブル記録装置を示す正面図である。
【図１０】消色用加熱手段と発色用加熱ヘッドとの非接触型ＩＣタグに対する非接触位置への移動について示す正面図である。
【図１１】消色、発色処理に関する一連の動作を説明するフローチャートである。
【図１２】本発明の第５の実施の形態である、非接触型ＩＣタグ付可逆的感熱記録媒体用のリライタブル記録装置を示す正面図である。
【図１３】消色、発色処理に関する一連の動作を説明するフローチャートである。
【図１４】本発明の第６の実施の形態である、非接触型ＩＣタグ付可逆的感熱記録媒体用のリライタブル記録装置を示す正面図である。
【図１５】本発明の第７の実施の形態である、非接触型ＩＣタグ付可逆的感熱記録媒体用のリライタブル記録装置を示す正面図である。
【図１６】従来例の可逆的感熱記録媒体用のリライタブル記録装置を示す正面図である。
【図１７】その側面図である。
【図１８】その反対側の側面図である。
【符号の説明】
１　　　非接触型ＩＣタグ付可逆的感熱記録媒体
２　　　可逆的感熱記録媒体
３　　　非接触型ＩＣタグ
４　　　貼付位置マーク
５　　　支持体
６　　　感熱層
１３　　　消色用加熱手段
１４　　　発色用加熱ヘッド
２３　　　搬送機構
４１　　　検知手段
５１　　　検知手段、リーダライタ
７１　　　オーバーライト用加熱ヘッド
【図１】
2004098539.tif 000003
【図２】
2004098539.tif 000004
【図３】
2004098539.tif 000005
【図４】
2004098539.tif 000006
【図５】
2004098539.tif 000007
【図６】
2004098539.tif 000008
【図７】
2004098539.tif 000009
【図８】
2004098539.tif 000010
【図９】
2004098539.tif 000011
【図１０】
2004098539.tif 000012
【図１１】
2004098539.tif 000013
【図１２】
2004098539.tif 000014
【図１３】
2004098539.tif 000015
【図１４】
2004098539.tif 000016
【図１５】
2004098539.tif 000017
【図１６】
2004098539.tif 000018
【図１７】
2004098539.tif 000019
【図１８】
2004098539.tif 000020